(57)【要約】【課題】本発明は、合成樹脂から形成されながら、マウスピースへの取り付けが比較的容易な木管楽器用リード及びそのような木管楽器用リードの製造方法を提供することを課題とする。【解決手段】本発明に係る木管楽器用リードは、長手方向先端側にヴァンプを有する帯板状の木管楽器用リードであって、合成樹脂をマトリックスとするリード本体と、このリード本体の少なくとも裏面側に積層される被覆層とを備え、この被覆層の主成分が親水性樹脂であることを特徴とする。前記親水性樹脂がウレタン樹脂又はエポキシ樹脂であるとよい。前記被覆層の厚さが長手方向先端側に向かって漸減するとよい。本発明に係る木管楽器用リードの製造方法は、合成樹脂をマトリックスとするリード本体を形成する工程と、このリード本体の少なくとも裏面側に、親水性樹脂を主成分とする被覆層を形成する材料を塗工する工程とを備えることを特徴とする。【選択図】図３
2017134233.tif 000002
【特許請求の範囲】
【請求項１】
長手方向先端側にヴァンプを有する帯板状の木管楽器用リードであって、
合成樹脂をマトリックスとするリード本体と、
このリード本体の少なくとも裏面側に積層される被覆層と
を備え、
この被覆層の主成分が親水性樹脂であることを特徴とする木管楽器用リード。
【請求項２】
前記親水性樹脂がウレタン樹脂又はエポキシ樹脂である請求項１に記載の木管楽器用リード。
【請求項３】
前記被覆層の厚さが長手方向先端側に向かって漸減する請求項１又は請求項２に記載の木管楽器用リード。
【請求項４】
前記被覆層が、リード本体の全周面に積層される請求項１、請求項２又は請求項３に記載の木管楽器用リード。
【請求項５】
長手方向先端側にヴァンプを有する帯板状の木管楽器用リードの製造方法であって、
合成樹脂をマトリックスとするリード本体を形成する工程と、
このリード本体の少なくとも裏面側に、親水性樹脂を主成分とする被覆層を形成する材料を塗工する工程と
を備えることを特徴とする木管楽器用リードの製造方法。
【発明の詳細な説明】
【技術分野】
【０００１】
本発明は、木管楽器用リード及び木管楽器用リードの製造方法に関する。
【背景技術】
【０００２】
例えばサクソフォン、クラリネット等の木管楽器は、奏者が息を吹き込む唄口に取り付けられる帯板状のリードを振動させることによって音を発生させる。木管楽器用リードは、一般に葦や竹などの天然素材から形成され、奏者が口に咥える側の長手方向端部（先端部）に向かって厚さを徐々に減少させるよう表面を削り落としたヴァンプ（Ｖａｍｐ）が設けられている。
【０００３】
このような天然素材から形成される木管楽器用リードは、個々のばらつきが大きいという難点がある。このため、ユーザーが熟練者ではない比較的低練度の奏者であっても、複数のリードの中から満足な音色が得られるリードを選択し、満足な音色が得られないリードを使用せずに廃棄しているのが実情である。具体的には、木管楽器用リードは、１０本を一組として販売されることが多いが、一般ユーザーであっても、実際には１０本中で２本乃至３本程度しか使用できないと判断する場合が少なくない。
【０００４】
また、木管楽器用リードには、奏者の唾液や息に含まれる水分が付着することが避けられない。葦や竹から形成される木管楽器用リードは、このような水分に晒されることによって劣化が促進されるため、寿命が比較的短いという不都合がある。このため、合成樹脂から形成された耐久性に優れるリードが市販されている。
【０００５】
しかしながら、合成樹脂製リードは、その振動特性等の物性が天然素材から形成されるリードとは異なるため、音色や演奏性が十分とはいえない。そこで、合成樹脂製リードを形成する樹脂組成物にセルロース繊維を配合することで、合成樹脂製リードの振動特性を向上することが提案されている（例えば特開２００８−１９７４５０号公報参照）。
【０００６】
また、合成樹脂性リードは、滑りやすいため、マウスピースに取り付ける際、正確に位置決めすることが難しいという不都合を有する。上述のように、合成樹脂製リードの振動特性を向上する提案はなされているが、このような取り付け性を向上する提案は見当たらない。
【先行技術文献】
【特許文献】
【０００７】
【特許文献１】特開２００８−１９７４５０号公報
【発明の概要】
【発明が解決しようとする課題】
【０００８】
前記不都合に鑑みて、本発明は、合成樹脂から形成されながら、マウスピースへの取り付けが比較的容易な木管楽器用リード及びそのような木管楽器用リードの製造方法を提供することを課題とする。
【課題を解決するための手段】
【０００９】
前記課題を解決するためになされた発明は、長手方向先端側にヴァンプを有する帯板状の木管楽器用リードであって、合成樹脂をマトリックスとするリード本体と、このリード本体の少なくとも裏面側に積層される被覆層とを備え、この被覆層の主成分が親水性樹脂であることを特徴とする木管楽器用リードである。
【００１０】
当該木管楽器用リードは、親水性樹脂を主成分とする被覆層を少なくとも裏面側に備えるので、マウスピースとの接触性が向上して、滑りが抑制される。これにより、当該木管楽器用リードは、マウスピースに対して容易に位置決めすることができるので、マウスピースへの取り付けが比較的容易である。
【００１１】
前記親水性樹脂がウレタン樹脂又はエポキシ樹脂であるとよい。このように、前記親水性樹脂がウレタン樹脂又はエポキシ樹脂であることによって、マウスピースへの取り付け性を十分に向上できるともに十分な強度を有する被覆層を比較的容易に形成することができる。
【００１２】
前記被覆層の厚さが長手方向先端側に向かって漸減するとよい。このように、前記被覆層の厚さが長手方向先端側に向かって漸減することによって、リード先端部の厚さを天然素材から形成されるリードと同等に小さくできる。
【００１３】
前記被覆層が、リード本体の全周面に積層されるとよい。このように、前記被覆層が、リード本体の全周面に積層されることによって、被覆層の形成が容易となる。
【００１４】
また、前記課題を解決するためになされた別の発明は、長手方向先端側にヴァンプを有する帯板状の木管楽器用リードの製造方法であって、合成樹脂をマトリックスとするリード本体を形成する工程と、このリード本体の少なくとも裏面側に、親水性樹脂を主成分とする被覆層を形成する材料を塗工する工程とを備えることを特徴とする木管楽器用リードの製造方法である。
【００１５】
当該木管楽器用リードの製造方法は、リード本体に親水性樹脂を主成分とする被覆層を塗工によって形成する工程を備えるため、マウスピースに対する滑りが抑制されることでマウスピースへの取り付けが比較的容易な木管楽器用リードを比較的容易に製造することができる。
【００１６】
ここで、「主成分」とは、最も質量含有量が大きい成分を意味し、好ましくは８０質量％以上含有する成分を意味する。また、「裏面」とは、ヴァンプが形成される側と反対側の面を意味する。また、「親水性樹脂」とは、平面を形成した場合にＪＩＳ−Ｒ３２５７（１９９９）の静滴法により測定される純水との接触角が９０°以下となる樹脂を意味する。また、「全周面」とは長手方向の端面を除く全ての面を意味する。
【発明の効果】
【００１７】
本発明の木管楽器用リードは、合成樹脂から形成されながら、マウスピースへの取り付けが比較的容易である。
【図面の簡単な説明】
【００１８】
【図１】本発明の一実施形態に係る木管楽器用リードが取り付けられたサクソフォンを示す模式的斜視図である。
【図２】図１のサクソフォンのマウスピースを示す模式的断面図である。
【図３】図１のサクソフォンの木管楽器用リードを示す模式的長手方向断面図である。
【図４】本発明の図３とは異なる実施形態に係る木管楽器用リードのヴァンプ非形成部分における模式的短手方向断面図である。
【図５】図４の木管楽器用リードの模式的長手方向断面図である。
【発明を実施するための形態】
【００１９】
以下、適宜図面を参照しつつ、本発明の実施の形態を詳説する。
【００２０】
［第一実施形態］
＜サクソフォン＞
図１に、本発明の一実施形態に係る木管楽器用リード１を用いる木管楽器の一種であるサクソフォンを示す。
【００２１】
図１のサクソフォンは、サクソフォン本体２の一端に当該木管楽器用リード１を取り付けたマウスピース３が装着されている。
【００２２】
サクソフォン本体２は、一端にマウスピース３が装着され、他端が径を拡大するようにして開放する屈曲した管体部４を備え、この管体部４に形成される複数の音孔をそれぞれ封止可能に設置される複数のキイ５と、これらのキイ５を操作するためのレバー６等を有する。このサクソフォン本体２の構成は、従来のサクソフォン本体の構成と同様とすることができる。
【００２３】
マウスピース３は、サクソフォン本体２の一端に装着され、奏者がサクソフォン本体２に息を吹き込み、当該木管楽器用リード１を振動させるために使用される。
【００２４】
マウスピース３は、図２に示すように、概略筒状に形成され、奏者が口に咥える先端側が平たく押し潰されたような形状を有し、奏者の下唇に接触する側が大きく開口し、この開口を封止するよう当該木管楽器用リード１が取り付けられる。当該木管楽器用リード１は、マウスピース３の外周に装着されるリガチャ７によってマウスピース３に固定される。これらのマウスピース３及びリガチャ７としては、従来の構成のものを使用することができる。
【００２５】
なお、当該木管楽器用リード１は、図１のようなサクソフォンに限らず、例えばクラリネット等の他の木管楽器にも使用することができ、例えばオーボエ、ファゴット等の２枚のリードを使用する木管楽器にも使用することができる。２枚のリードを使用する木管楽器の場合、２枚のリードのうち一方にのみ当該木管楽器用リード１を用い、他方に天然素材から形成される従来のリード又は保湿材料を含有しない従来の樹脂製リードを用いてもよい。
【００２６】
＜木管楽器用リード＞
図３に、当該木管楽器用リード１を詳細に示す。当該木管楽器用リード１は、帯板状に形成され、長手方向先端側に厚さを減じるヴァンプを有する。
【００２７】
当該木管楽器用リード１は、合成樹脂をマトリックスとするリード本体１１と、このリード本体１１の裏面全体に積層される被覆層１２とを備える。
【００２８】
当該木管楽器用リード１は、ヴァンプが形成されていない部分の表面（マウスピース３に取り付けられる側と反対側の面）が円筒面の一部をなすように湾曲している。この湾曲面は、裏面（マウスピース３に取り付けられる側の面）と平行な長手方向の軸を有し、表面側に膨出するものとされる。これにより、当該木管楽器用リード１は、図１及び図２に示すように、ヴァンプが形成されていない部分がリガチャ７で緊締されることによってマウスピース３の外面に表面が連続するようマウスピース３と一体に保持される。
【００２９】
ヴァンプは、奏者が口に咥える側の長手方向端部（以下、単に「先端部」ともいう。）に向かって当該木管楽器用リード１の厚さを徐々に減少させるよう形成されている。より詳しくは、ヴァンプは、一般に当該木管楽器用リード１のヒール（ヴァンプが形成されていない方の長手方向端部）側程傾斜角度が大きくなるよう湾曲し、先端側は略平面状に伸びるよう形成される。このヴァンプの湾曲形状としては、従来のリードに形成されるヴァンプの湾曲形状と同様とされる。
【００３０】
つまり、当該木管楽器用リード１の概略形状としては、葦等から形成される従来のリードと同様の形状とされる。当該木管楽器用リード１の概略形状の具体的な寸法としては、当該木管楽器用リード１がアルトサックス用のリードである場合、幅を約１５ｍｍ、長さを約７０ｍｍ、ヴァンプが形成されていない部分の最大厚さを約３ｍｍ、ヴァンプの先端における厚さを約０．１５ｍｍとすることができる。
【００３１】
（リード本体）
リード本体１１を形成する材料のマトリックスとなる合成樹脂としては、例えばポリエチレン、ポリプロピレン、ポリスチレン、ポリエステル、ポリアミド、アクリル樹脂、液晶ポリマー、フェノール樹脂、エポキシ樹脂、メラミン樹脂、ユリア樹脂、ポリウレタン等を用いることができる。中でも、リード本体１１を射出成型によって形成する場合には、マトリックスとなる合成樹脂としてポリプロピレンが好適に用いられる。
【００３２】
当該木管楽器用リード１の大半を占めるリード本体１１を合成樹脂をマトリックスとする材料によって形成することで、リード本体１１の材質の物性を一定にすることができる。このため、当該木管楽器用リード１は、一定の振動特性を有するものとなるので、発生する音色のばらつきが小さい。
【００３３】
また、リード本体１１を形成する材料は、マトリックス中に例えば木繊維、竹繊維等の天然繊維、ガラス繊維等の無機繊維、ポリアミド繊維等の合成繊維などを含んでもよい。中でも、リード本体１１を形成する材料のマトリックス中に含まれる繊維としては、ガラス繊維等の透明であるものが好ましい。このようなマトリックス中の繊維は、リード本体１１ひいては当該木管楽器用リード１の剛性を向上する。
【００３４】
リード本体１１を形成する材料における繊維の含有率の下限としては、特に限定されないが、１０質量％が好ましく、２０質量％がより好ましい。一方、リード本体１１を形成する材料における繊維の含有率の上限としては、７０質量％が好ましく、６０質量％がより好ましい。前記繊維の含有率が前記下限に満たない場合、リード本体１１ひいては当該木管楽器用リード１の剛性を十分に向上できないおそれがある。逆に、前記繊維の含有率が前記上限を超える場合、リード本体１１の射出成型による成形が困難となるおそれがある。
【００３５】
リード本体１１を形成する材料に含有される繊維の平均長さの下限としては、３μｍが好ましく、５μｍがより好ましい。一方、リード本体１１を形成する材料に含有される繊維の平均長さの上限としては、５０μｍが好ましく、３０μｍがより好ましい。前記繊維の平均長さが前記下限に満たない場合、リード本体１１の剛性を十分に向上できないおそれがある。逆に、前記繊維の平均長さが前記上限を超える場合、リード本体１１の射出成型による成形が困難となるおそれがある。
【００３６】
また、リード本体１１を形成する材料は、上述の繊維の他、例えば着色のための顔料、改質剤等の添加剤を含んでもよい。
【００３７】
リード本体１１を形成する材料の弾性率の下限としては、３０００ＭＰａが好ましく、４０００ＭＰａが好ましい。一方、リード本体１１を形成する材料の弾性率の上限としては、１００００ＭＰａが好ましく、８０００ＭＰａが好ましい。リード本体１１を形成する材料の弾性率が前記下限に満たない場合、音速が小さく、音響効果が不十分となるおそれがある。逆に、リード本体１１を形成する材料の弾性率が前記上限を超える場合、当該木管楽器用リード１が硬くなり過ぎるために十分な振動が得られないおそれがある。なお、前記弾性率は、ＪＩＳ−Ｋ７１７１（２００８）に準拠して測定される値である。
【００３８】
（被覆層）
被覆層１２の主成分となる親水性樹脂としては、親水性を有するものであればよいが、中でも親水性ウレタン樹脂又は親水性エポキシ樹脂が好ましい。
【００３９】
前記親水性ウレタン樹脂としては、例えばアカデボンタイター社の「ＨＵＸシリーズ」等を用いることができる。
【００４０】
前記親水性エポキシ樹脂としては、ウレタン結合とエポキシ基とを有するウレタン変成エポキシ樹脂を用いることができる。具体的なウレタン変成エポキシ樹脂としては、例えば神東塗料社の「チョイスコート」等が挙げられる。
【００４１】
被覆層１２の平均厚さの下限としては、１０μｍが好ましく、５０μｍがより好ましく、１００μｍがさらに好ましい。一方、被覆層１２の平均厚さの上限としては、１０００μｍが好ましく、５００μｍがより好ましく、２００μｍがさらに好ましい。被覆層１２の平均厚さが前記下限に満たない場合、被覆層１２を切れ間なく形成することが困難となるおそれがある。逆に、被覆層１２の平均厚さが前記上限を超える場合、当該木管楽器用リード１が厚くなったり、剛性が不足したりすることで音質や演奏性が不十分となるおそれがある。
【００４２】
＜木管楽器用リードの製造方法＞
当該木管楽器用リード１は、合成樹脂をマトリックスとするリード本体を形成する工程（形成工程）と、このリード本体の少なくとも裏面側に、親水性樹脂を主成分とする被覆層１２を形成する材料を塗工する工程（塗工工程）とを備える方法によって製造することができる。
【００４３】
（形成工程）
形成工程におけるリード本体１１の形成方法としては、例えば樹脂材料の射出成型、母材からの削り出し等、任意の方法を用いることができるが、生産性の観点から射出成型が好ましい。
【００４４】
（塗工工程）
塗工工程では、被覆層形成材料の塗工により、被覆層１２を形成する。この被覆層形成材料の塗工方法としては、例えば噴霧塗装、刷毛塗り、ディッピング等、任意の方法を適用することができる。
【００４５】
被覆層形成材料としては、重合により被覆層１２の主成分となる親水性樹脂を生成するモノマー又はプレポリマーを含み、好ましくは重合開始剤をさらに含む樹脂組成物を用いることができる。
【００４６】
被覆層形成材料には、リード本体１１と被覆層１２との密着性を向上するためのカップリング剤を配合してもよい。
【００４７】
また、この塗工工程では、被覆層１２の厚さを調節するために、余分な被覆層形成材料をスクレーパーで掻き落としたり、圧縮空気により吹き落としたりしてもよい。
【００４８】
当該木管楽器用リードの製造方法は、塗工工程の前に、リード本体１１と被覆層１２との密着性を向上するために、リード本体１１の塗工面の表面処理を行う工程を備えてもよい。この表面処理工程における処理としては、例えばプラズマ処理、ニトロ化処理等を挙げることができる。
【００４９】
当該木管楽器用リード１は、被覆層１２の形成後に、振動特性を調整するために、長手方向先端縁を切除する工程をさらに備えてもよい。
【００５０】
＜利点＞
当該木管楽器用リード１は、裏面側に親水性樹脂を主成分とする被覆層１２を備えることによって、マウスピース３に対する滑りが抑制される。このため、当該木管楽器用リード１は、マウスピース３に対して比較的容易かつ正確に位置決めすることができ、マウスピース３への取り付けが比較的容易である。
【００５１】
また、当該木管楽器用リード１は、裏面側に親水性樹脂を主成分とする被覆層１２を備えることによって、当該木管楽器用リード１とマウスピース３との接触性を高めると共に、強く演奏した時に当該木管楽器用リード１とマウスピース３との接離により生じる不要な振動音を低減することができる。これは、親水性樹脂により、共振周波数がオフセットされることによるものと考えられる。
【００５２】
［第二実施形態］
図４及び図５に、本発明の別の実施形態に係る木管楽器用リード１ａを示す。当該木管楽器用リード１ａは、合成樹脂をマトリックスとし、帯板状に形成され、長手方向先端側にヴァンプを有する。
【００５３】
図４及び図５の木管楽器用リード１ａの外形形状としては図３の木管楽器用リード１の外形形状と同様であり、図３の木管楽器用リード１に替えて図２のマウスピース３に取り付けられ、図１のサクソフォンで使用できる。
【００５４】
当該木管楽器用リード１ａは、図４に示すように、リード本体１１ａと、このリード本体１１ａの全周面に積層される被覆層１２ａとを備える。
【００５５】
この当該木管楽器用リード１ａの被覆層１２ａは、図５に示すように、その厚さが当該木管楽器用リード１ａの長手方向先端側に向かって漸減するよう形成されている。
【００５６】
（リード本体）
図４及び図５の木管楽器用リード１ａのリード本体１１ａは、図１の木管楽器用リード１のリード本体１１と同様とすることができるが、全周面に被覆層１２ａが積層されることを考慮して、その外形形状が調整されてもよい。
【００５７】
（被覆層）
図４及び図５の木管楽器用リード１ａの被覆層１２ａの材質及び平均厚さとしては、図１の木管楽器用リード１の被覆層１２と同様とすることができる。
【００５８】
当該木管楽器用リード１ａは、リード本体１１ａの全周面に被覆層１２ａが形成されるので、被覆層１２ａを塗工によって形成する場合、塗工する範囲を気にする必要がないので、製造が比較的容易である。
【００５９】
また、当該木管楽器用リード１ａは、被覆層１２ａの厚さが長手方向先端側に向かって漸減するため、当該木管楽器用リード１ａの先端部におけるリード本体１１ａの厚さを確保して、十分な剛性を付与することで良好な振動特性を得やすい。
【００６０】
このような被覆層１２ａの厚さの変化は、例えば塗工後にリード本体１１ａの先端側から圧縮空気を吹き付ける方法、塗工後のリード本体１１ａを先端側を上にして保持して振動を与える方法等によって形成することができる。
【００６１】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００６２】
当該木管楽器用リードは、当該木管楽器用リードの製造方法によって製造されるもの、つまり塗工によって被覆層を形成したものに限られず、例えば被覆層形成材料をシート状に成形したものをリード本体に接着（熱圧着や接着剤を介した積層を含む）したものや、被覆層形成材料の成形体を金型の中に配置してリード本体の形成材料を射出するインサート成型によって一体に形成したものであってもよい。
【００６３】
また、被覆層は、当該木管楽器用リードに対応する形状のキャビティを有する型の中にリード本体を配置して、型とリード本体との隙間に被覆層形成材料を充填し、キャビティの中で被覆層形成材料を硬化させることによって形成してもよい。この方法を用いることによって、被覆層の厚さの変化を比較的正確に調整することができる。
【００６４】
当該木管楽器用リードは、少なくとも裏面側に被覆層が積層されていればよく、他の面の被覆層の有無は任意であって部分的なものであってもよい。また、リード本体の長手方向の端面に被覆層が積層されてもよい。
【００６５】
また、当該木管楽器用リードにおいて、表裏一方の被覆層の厚さだけが漸減してもよく、被覆層の長手方向先端部でのみ厚さが漸減してもよい。
【産業上の利用可能性】
【００６６】
本発明の木管楽器用リードは、サクソフォンだけでなく、リードを使用する他の木管楽器に広く利用することができる。
【符号の説明】
【００６７】
１，１ａ  木管楽器用リード
２  サクソフォン本体
３  マウスピース
４  管体部
５  キイ
６  レバー
７  リガチャ
１１，１１ａ  リード本体
１２，１２ａ  被覆層
【図１】
2017134233.tif 000003
【図２】
2017134233.tif 000004
【図３】
2017134233.tif 000005
【図４】
2017134233.tif 000006
【図５】
2017134233.tif 000007